(57)【要約】  ハウジングに取り付けられたベルトを含む例示的なセキュリティデバイスが提供される。ベルトは、ベルトの調整端でハウジングの受容チャネルに挿入可能であり得る。レバーは、ハウジングに旋回可能に結合され得る。レバーは、ロックされたレバー位置とロック解除されたレバー位置との間でハウジングに対して旋回するように構成され得る。ハブは、レバーが旋回するときにハブが回転するようにハウジング内に配置され、そしてレバーに結合され得る。【選択図】図１
2021506005.tif 000002
【特許請求の範囲】
【請求項１】
ベルト受容チャネルを有するハウジング；
ベルトの固定端でハウジングに取り付けられたベルト、ここでベルトはベルトの調整端で受容チャネルに挿入可能であり、ここでベルトは物品の周りに巻かれるように構成されており；
ハウジングに旋回可能に結合されたレバー、ここでレバーは、ロックされたレバー位置とロック解除されたレバー位置との間でハウジングに対して旋回するように構成されており：ならびに
レバーが旋回するとハブが回転するようにハウジング内に配置されてレバーに結合されたハブ；を含み、
ここでハブは、ベルト係合面およびベルト非係合面を含み、
ここでハブのベルト係合面は、ベルト受容チャネルへと延在し、そしてレバーがロックされたレバー位置に旋回され、ベルトの調整端が受容チャネルに挿入されることに応じて、ベルトと動作可能に結合するように構成され、そしてここでハブのベルト非係合面は、レバーがロック解除されたレバー位置にあることに応じてハブがベルトに動作可能に結合しないように、受容チャネルに提示される、セキュリティデバイス。
【請求項２】
ベルト係合面は、ベルトの複数の溝の１つと係合するように構成された少なくとも１つの歯を含む、請求項１に記載のセキュリティデバイス。
【請求項３】
ベルト係合面およびベルト非係合面は、ハブの円筒部分の周囲を規定する、請求項１に記載のセキュリティデバイス。
【請求項４】
ベルト係合面は、ハブの回転中心に対するベルト係合面角度を規定し、ベルト非係合面は、ハブの回転中心に対するベルト非係合面角度を規定し、そして
ここでベルト係合面角度は、ベルト非係合面角度よりも小さい、請求項３に記載のセキュリティデバイス。
【請求項５】
受容チャネルは、ハブの係合面がベルトに動作可能に結合するのを介する受容チャネルウィンドウを含む、請求項１に記載のセキュリティデバイス。
【請求項６】
共通軸の周りをハブが回転し、そしてレバーが旋回する、請求項１に記載のセキュリティデバイス。
【請求項７】
レバーがロック解除されたレバー位置からロックされたレバー位置に旋回すると、ハブのベルト係合面がベルトに動作可能に結合されない状態からベルトに動作可能に結合される状態に移行し、さらに締め付け力をベルトに加えるようにハブが回転する、請求項１に記載のセキュリティデバイス。
【請求項８】
さらにロッキングアセンブリを含み、そしてここでロッキングアセンブリは、レバーがロックされたレバー位置に旋回されることに応じてレバーをハウジングにロックし、それによりレバーの旋回を防止するように構成されている、請求項１に記載のセキュリティデバイス。
【請求項９】
ロッキングアセンブリは、ロッキングアセンブリへの磁気キーの適用に応じて、レバーをハウジングからロック解除してレバーの旋回を可能にするように構成されている、請求項８に記載のセキュリティデバイス。
【請求項１０】
さらにロッキングアセンブリを含み、そしてここでロッキングアセンブリは、レバーがロックされたレバー位置に旋回されることに応じて、ハブをロックされたハブ位置にロックするように構成されている、請求項１に記載のセキュリティデバイス。
【請求項１１】
ベルトの調整端は、受容チャネルを通過して受容スリーブに入るように構成され、ここで受容スリーブはベルトに取り付けられ、そしてベルトの固定端に隣接して配置されている、請求項１に記載のセキュリティデバイス。
【請求項１２】
電子物品監視タグがハウジングに配置されている、請求項１に記載のセキュリティデバイス。
【請求項１３】
ベルトの少なくとも一部は透明である、請求項１に記載のセキュリティデバイス。
【請求項１４】
レバーはレバーキャビティを含み、そしてここでハウジングの一部は、レバーがロックされたレバー位置にあるときにレバーキャビティに受け入れられている、請求項１に記載のセキュリティデバイス。
【請求項１５】
受容チャネルはハウジングを通過している、請求項１に記載のセキュリティデバイス。
【請求項１６】
セキュリティデバイス；および
磁気キー；を含むシステムであって、
ここでセキュリティデバイスは、
ベルト受容チャネルを有するハウジング；
ベルトの固定端でハウジングに取り付けられたベルト、ここでベルトはベルトの調整端で受容チャネルに挿入可能であり、ここでベルトは物品の周りに巻かれるように構成されており；
ハウジングに旋回可能に結合されたレバー、ここでレバーは、ロックされたレバー位置とロック解除されたレバー位置との間でハウジングに対して旋回するように構成されており：
レバーが旋回するとハブが回転するようにハウジング内に配置されてレバーに結合されたハブ；ならびに
ロッキングアセンブリ；を含み、
ここでハブは、ベルト係合面およびベルト非係合面を含み、
ここでハブのベルト係合面は、ベルト受容チャネルへと延在し、そしてレバーがロックされたレバー位置に旋回され、ベルトの調整端が受容チャネルに挿入されることに応じて、ベルトと動作可能に結合するように構成され、そしてここでハブのベルト非係合面は、レバーがロック解除されたレバー位置にあることに応じてハブがベルトに動作可能に結合しないように、受容チャネルに提示され、
ここでロッキングアセンブリは、レバーがロックされたレバー位置にあることに応じてレバーをハウジングにロックし、それによりレバーの旋回を防止するように構成されており、
ここでロッキングアセンブリは、ロッキングアセンブリへの磁気キーの適用に応じて、レバーをハウジングからロック解除してレバーの旋回を可能にするように構成されている、システム。
【請求項１７】
ベルト受容チャネルを有するハウジング；
ベルトの固定端でハウジングに取り付けられたベルト、ここでベルトはベルトの調整端で受容チャネルに挿入可能であり、ここでベルトは物品の周りに巻かれるように構成されており；ならびに
ハウジング内に配置されたハブ、ここでハブはロックされたハブ位置とロック解除されたハブ位置の間で回転可能である；を含み、
ここでハブは、ベルト係合面およびベルト非係合面を含み、
ここでハブのベルト係合面は、ベルト受容チャネルへと延在し、そしてハブがロックされたハブ位置にあり、ベルトの調整端が受容チャネルに挿入されることに応じて、ベルトと動作可能に結合するように構成され、そしてここでハブのベルト非係合面は、ハブがロック解除されたハブ位置にあることに応じてハブがベルトに動作可能に結合しないように、受容チャネルに提示される、セキュリティデバイス。
【請求項１８】
ベルト係合面は、ベルトの複数の溝の１つと係合するように構成された少なくとも１つの歯を含む、請求項１７に記載のセキュリティデバイス。
【請求項１９】
ベルト係合面およびベルト非係合面は、ハブの円筒部分の周囲を規定する、請求項１７に記載のセキュリティデバイス。
【請求項２０】
ベルト係合面は、ハブの回転中心に対するベルト係合面角度を規定し、ベルト非係合面は、ハブの回転中心に対するベルト非係合面角度を規定し、そして
ここでベルト係合面角度は、ベルト非係合面角度よりも小さい、請求項１９に記載のセキュリティデバイス。
【発明の詳細な説明】
【技術分野】
【０００１】
例示的な実施形態は、概してセキュリティ技術に関し、より詳細には、小売損失防止に使用するためのセキュリティデバイスに関する。
【背景技術】
【０００２】
製品セキュリティデバイスは、小売損失防止を含む多くの状況で一般的に使用されている。これに関して、小売盗難防止システムは、しばしば電子物品監視（ＥＡＳ）システムと称され、小売店舗の出口に位置したアンテナを使用して、販売物品に取り付けられたセキュリティデバイスによって発せられたＲＦ信号を検出する。製品セキュリティデバイスは、製品に取り付けまたはロックされることがあり、デバイスが売買取引中にＰＯＳで取り外されない場合、セキュリティデバイスは、物品に取り付けられたデバイスが店舗を離れるときにＥＡＳシステムによって検出されることになる。小売店舗からのデバイスの取り外しは、試みられた盗難に関連している可能性が高いため、アラームがトリガーされ得る。
【発明の概要】
【０００３】
いくつかの例示的な実施形態によれば、セキュリティデバイスが提供される。セキュリティデバイスは、ベルト受容チャネルを有するハウジングと、ベルトの固定端でハウジングに取り付けられたベルトとを備えてもよい。ベルトは、ベルトの調整端で受容チャネルに挿入可能であり得る。ベルトはまた、物品の周りに巻かれるように構成され得る。セキュリティデバイスは、ハウジングに旋回可能に結合されたレバーをさらに備えてもよい。レバーは、ロックされたレバー位置とロック解除されたレバー位置との間でハウジングに対して旋回するように構成され得る。セキュリティデバイスは、レバーが旋回するとハブが回転するようにハウジング内に配置され、そしてレバーに結合されるハブをさらに備えてもよい。ハブは、ベルト係合面およびベルト非係合面を含み得る。ハブのベルト係合面は、ベルト受容チャネルへと延在し、そしてレバーがロックされたレバー位置に旋回され、およびベルトの調整端が受容チャネルに挿入されることに応じて、ベルトと動作可能に結合するように構成され得る。ハブのベルト非係合面は、レバーがロック解除されたレバー位置にあることに応じてハブがベルトに動作可能に結合しないように、受容チャネルに提示され得る。
【０００４】
別の例示的な実施形態は、セキュリティデバイスおよび磁気キーを含むシステムである。セキュリティデバイスは、ロッキングアセンブリと、ベルト受容チャネルを有するハウジングと、ベルトの固定端でハウジングに取り付けられたベルトとを備えてもよい。ベルトは、ベルトの調整端で受容チャネルに挿入可能であり得る。ベルトはまた、物品の周りに巻かれるように構成され得る。セキュリティデバイスは、ハウジングに旋回可能に結合されたレバーをさらに備えてもよい。レバーは、ロックされたレバー位置とロック解除されたレバー位置との間でハウジングに対して旋回するように構成され得る。セキュリティデバイスは、レバーが旋回するとハブが回転するようにハウジング内に配置され、そしてレバーに結合されるハブをさらに備えてもよい。ハブは、ベルト係合面およびベルト非係合面を含み得る。ハブのベルト係合面は、ベルト受容チャネルへと延在し、そしてレバーがロックされたレバー位置に旋回され、ベルトの調整端が受容チャネルに挿入されることに応じて、ベルトと動作可能に結合するように構成され得る。ハブのベルト非係合面は、レバーがロック解除されたレバー位置にあることに応じてハブがベルトに動作可能に結合しないように、受容チャネルに提示され得る。セキュリティデバイスのロッキングアセンブリは、レバーがロックされたレバー位置にあることに応じてレバーをハウジングにロックし、それによりレバーの旋回を防止ように構成され得る。ロッキングアセンブリはさらに、ロッキングアセンブリへの磁気キーの適用に応じてレバーの旋回を可能にするため、ハウジングからレバーをロック解除するように構成され得る。
【０００５】
別の例示的な実施形態は、セキュリティデバイスである。セキュリティデバイスは、ベルト受容チャネルを有するハウジングと、ベルトの固定端でハウジングに取り付けられたベルトとを備えてもよい。ベルトは、ベルトの調整端で受容チャネルに挿入可能であり得る。ベルトは、物品の周りに巻かれるように構成され得る。セキュリティデバイス１００は、ハウジング内に配置されたハブをさらに含み得る。ハブは、ロックされたハブ位置とロック解除されたハブ位置との間で回転可能であり得る。さらにハブは、ベルト係合面およびベルト非係合面を含むことができる。ハブのベルト係合面は、ベルト受容チャネルへと延在し、そしてハブがロックされたハブ位置にあり、ベルトの調節端が受容チャネルに挿入されることに応じて、ベルトと動作可能に結合するように構成され得る。ハブがベルトの非係合位置にあることに応じてハブがベルトに動作可能に結合しないように、ハブのベルト非係合面は受容チャネルに提示され得る。
【０００６】
このようにいくつかの例示的な実施形態を一般的な用語で説明してきたが、ここで必ずしも縮尺通りに描かれていない添付図面を参照する。
【図面の簡単な説明】
【０００７】
【図１】図１は、例示的な実施形態による組み立てられたセキュリティデバイスの斜視図を示す。
【０００８】
【図２】図２は、例示的な実施形態によるベルトの斜視図を示す。
【０００９】
【図３】図３は、例示的な実施形態による、レバー、ハウジング、およびハブを備えるセキュリティデバイスの分解された本体を示す。
【００１０】
【図４】図４は、例示的な実施形態によるセキュリティデバイスのレバーを示す。
【００１１】
【図５】図５は、例示的実施形態による、ロッキングアセンブリの一部を有するセキュリティデバイスのレバーを分解図で示す。
【００１２】
【図６】図６は、例示的な実施形態によるセキュリティデバイスのハウジングの分解図を示す。
【００１３】
【図７】図７は、例示的な実施形態によるハウジングの組立図を示す。
【図８】図８は、例示的な実施形態によるハウジングの組立図を示す。
【００１４】
【図９】図９は、例示的な実施形態によるハブの分離図を示す。
【図１０】図１０は、例示的な実施形態によるハブの分離図を示す。
【００１５】
【図１１】図１１は、例示的な実施形態による、ロック解除された構成のセキュリティデバイスを示す。
【００１６】
【図１２】図１２は、例示的な実施形態による、ロックされた構成のセキュリティデバイスを示す。
【００１７】
【図１３】図１３は、例示的な実施形態による、キーが適用されたセキュリティデバイスを示す。
【００１８】
【図１４】図１４は、例示的な実施形態による、ロック解除された構成に戻るセキュリティデバイスを示す。
【発明を実施するための形態】
【００１９】
次に、いくつかの例示的な実施形態を、すべてではないがいくつかの例示的な実施形態が示されている添付の図面を参照して、以下でより十分に説明する。実際、本明細書で説明および図示された例は、本開示の範囲、適用性または構成に関して限定すると解釈されるべきではない。むしろこれらの例示的な実施形態は、本開示が適用され得る法的要件を満たすように提供される。同様の参照番号は、全体を通して同様の要素を指す。本明細書で使用されるように、動作可能な結合は、互いに動作可能に結合される構成要素の機能的相互接続を可能にする直接または間接接続のどちらの場合にも関連すると理解されるべきである。
【００２０】
様々な例示的な実施形態によれば、例示的な調整可能なセキュリティデバイスが提供される。セキュリティデバイスは、ベルトおよび本体を含み得る。ベルトは、物品の周りに巻かれて、セキュリティデバイスを物品に取り外し可能に取り付けるためにロックされ得る。物品は、例えば、小売店で購入する前の盗難から保護される小売製品であり得る。これに関して、ベルトは、異なる形状（例えば、スポーツ用品、電子機器、キャンドルなど、またはそれらのパッケージ）を有する様々な物品の周りにベルトが巻かれることができるように、柔軟で調整可能であり得る。セキュリティデバイスを物品に固定するために、ベルトをセキュリティデバイスの本体にロックさせ得る。さらにセキュリティデバイスは、例えば、小売店の入口または出口に位置されたセキュリティゲートに無線信号を提供し、タグからの信号に応じて、セキュリティゲートにアラームを発生させ、盗難の可能性を店員に警告するように動作する、例えば電子物品監視（ＥＡＳ）タグの形態のセキュリティ要素を含み得る。
【００２１】
図１は、いくつかの例示的な実施形態による例示的なセキュリティデバイス１００の斜視図を提供する。セキュリティデバイス１００は、ベルト１１０および本体１５０から構成され得る。図２に示されるように、ベルト１１０は、例えば、プラスチックまたは金属で形成されてもよく、ベルト１１０は、材料の平坦なストリップの形態を取り得る。いくつかの例示的な実施形態によれば、ベルト１１０は透明であってもよく、またはベルト１１０の部分が透明であってもよい。いくつかの例示的な実施形態によれば、ベルト１１０は、図２に見られるように、ベルト１１０が静止時で、応力または歪みの無い状態で、略円形の形状をとるように、構造に静止曲率を組み込む方法で製造されてもよい。
【００２２】
ベルト１１０は、固定端１１１および調整端１１２を含み得る。固定端１１１は、本体１５０への固定端１１１の永続的な取り付けを容易にする機能を含み得る。これに関して、固定端１１１は、本体１５０の相補的な突起１６１（図６）と係合してベルト１１０の固定端１１１を本体１５０に永続的に固定する切り欠き１２０（例えば、半円形の切り欠き）を含み得る。
【００２３】
ベルト１１０の調整端１１２は、本体１５０の受容チャネル１６５（図６）へのベルト１１０の調整端１１２の挿入を容易にするために、先細った、尖った、または丸みを帯びた先端を含み得る。本明細書でさらに説明するように、ベルト１１０の調整端１１２は本体１５０にロックさせて、セキュリティデバイス１００を物品に固定し得る。これに関して、いくつかの例示的な実施形態によれば、ベルト１１０の調整端１１２は、１つまたは複数の係合機構を含むベルト係合面１１３を含み得る。いくつかの例示的な実施形態によれば、ベルト係合面１１３は、本体１５０の機構と係合してベルト１１０の調整端１１２の本体１５０への締め付けおよび固定の両方を容易にするように構成される１つまたは複数の溝１１５（例えば、隆起部分または歯によって分離される）を含み得る。いくつかの例示的な実施形態によれば、ベルト１１０は、ベルト１１０の固定端１１１に隣接する位置でベルト１１０に取り付けられ得る受容スリーブ１２５も含み得る。これに関して、以下でさらに説明するように、ベルト１１０が本体１５０に受け入れられ、そして通過するときに、受容スリーブ１２５は、ベルト１１０の調整端１１２を覆い、アクセスを禁止するように構成され得る。
【００２４】
図３を参照すると、本体１５０の部分的に分解された図が示されている。これに関して、いくつかの例示的な実施形態によれば、本体１５０は、ハウジング１５５、レバー１７５、およびハブ１８０から構成されてもよい。図６−８に関して示されるように、ハウジングは、例えば、ハブ１８０およびセキュリティ要素１６０を含む、本体１５０の様々な構成要素を保持または収容することができる。本明細書でさらに説明されるように、レバー１７５は、ハブ１８０を介してハウジング１５５に旋回可能に結合され得、ハブ１８０は、ハウジング１５５内のハブキャビティ１８６内に維持され得る。
【００２５】
レバー１７５は、図４および５により詳細に示されている。これに関して、レバー１７５は長くなっていてもよく、レバー１７５のハブ係合端１８３および旋回軸１５８から離れて延在してもよい。レバー１７５はまた、レバー１７５が軸１５８の周りに旋回してロックされたレバー位置になるときにハウジング１５５の少なくとも一部を受け入れることができるレバーキャビティ１７７（例えば、三面キャビティ）を含むことができる。レバー１７５のハブ係合端１８３で、ハブ１８０はレバー１７５とインターフェースすることができる。レバー１７５は、例えば、ハブ１８０の端部、すなわちレバー係合部分１９１（図９）を受け入れるレバー１７５の内側に１つまたは２つのキャビティ１７６を含むことができる。これに関して、キャビティ１７６は、セキュリティデバイス１００の組み立て中にレバー１７５に対するハブ１８０の向きが適切であることを確実にするために、キー表面１８４を介してキー止めされ得る。これに関して、キャビティ１７６は、例えば、正方形の１つの角がキー止めされることを除いて、正方形の形状であり得、その結果、ハブ１８０は、所望の向きでのみレバー１７５に結合され得る。
【００２６】
さらに、レバー１７５は、ロッキングアセンブリの一部を含み得る。ロッキングアセンブリは、レバー１７５をハウジング１５５にロックするように構成され得、それにより、レバー１７５がロックされたレバー位置にあり、キーがセキュリティデバイス１００に適用されていないとき、レバー１７５の旋回を防止する。さらにロッキングアセンブリは、ハウジング１５５からレバー１７５をロック解除して、ロッキングアセンブリへのキーの適用に応じてレバー１７５の旋回を可能にするように構成され得る。さらに、レバー１７５とハブが一緒に動くので、ロッキングアセンブリは、レバー１７５がロックされたレバー位置にあることに応じて、ハブ１８０をロックされたハブ位置にロックするように構成され得る。
【００２７】
いくつかの例示的な実施形態によれば、ロッキングアセンブリは、レバー１７５をハウジング１５５にロックし、レバー１７５をハウジング１５５からロック解除するように動作する、レバー１７５およびハウジング１５５に結合される相補的な構成要素から構成されてもよい。いくつかの例示的な実施形態によれば、ロッキングアセンブリは、スラグ１７８と、スラグ１７８の先端をハウジング１５５のロッキングキャビティ１６９に向けて付勢してロッキングキャビティ１６９と係合し、ハウジング１５５との係合を介してレバー１７５をロックされたレバー位置にロックするばね１７９とを含み得る。示されるように、いくつかの例示的な実施形態によれば、スラグ１７８およびばね１７９は、レバー１７５のスラグキャビティ１８２内に配置されてもよい。これに関して、スラグ１７８およびばね１７９は、スラグキャビティ１８２内に配置され、スラグキャビティ１８２および内容物上の位置に溶接またはスナップ留めされ得るカバー１８１によってスラグキャビティ１８２内に固定され得る。
【００２８】
図６、７、および８は、ハウジング１５５のさらなる図を提供する。いくつかの例示的な実施形態によれば、ハウジング１５５は、複数の内部キャビティを有することができる。そのようなキャビティは、溶接されるか、または他の方法で互いに取り付けられ得る２つの側部構成要素によって形成され得る。図６に示す例示的な実施形態では、２つの側部構成要素は、シェル１５６およびカバープレート１８７から形成される。
【００２９】
シェル１５６は、セキュリティ要素１６０を収容するためのセキュリティ要素キャビティ１５９を含み得る。セキュリティ要素１６０は、いくつかの例示的な実施形態によれば、電子物品監視（ＥＡＳ）タグなどのタグであってよい。これに関して、セキュリティ要素１６０は、損失防止および在庫追跡の目的で無線信号を送信する無線通信技術を組み込んでもよい。セキュリティ要素１６０は、無線周波数共振器、音響磁気共振器、またはＲＦＩＤタグであり得、８．２ＭＨｚ、５８ｋＨｚ、または９００ＭＨｚなどの無線周波数で動作し得る。これに関して、無線周波数共振器または音響磁気デバイスとして、セキュリティ要素１６０は、特定の周波数の電磁界の存在下で共振し、検出され得る共振信号を戻し得る。セキュリティ要素１６０からの戻り共振信号を検出することに応じて、例えば、物品の盗難の試みの兆候であり得る、物品からまずセキュリティデバイス１００を取り外されることなく個人が小売店舗を出ようとしていることを示すためにリモートアラームがトリガーされ得る。
【００３０】
追加的または代替的に、セキュリティ要素１６０はＲＦＩＤタグを含み得る。これに関して、ＲＦＩＤタグは、例えば、ＲＦＩＤタグのメモリに記憶された固有コードで質問信号に応答するように構成されてもよく、ここでコードはＲＦＩＤタグを識別する。したがって、ＲＦＩＤタグは、盗難抑止機能だけでなく、追跡ハードウェアが適切に装備された環境内でのセキュリティデバイス１００の位置の在庫カウントまたは追跡も容易にすることができる。いくつかの例示的な実施形態によれば、セキュリティ要素１６０は、ＥＡＳタグとＲＦＩＤタグの両方を含むことができる。
【００３１】
ハウジング１５５はまた、ベルト固定キャビティ１８９を含み得る。上述のように、突起１６１、またはベルト１１０の固定端１１１と係合するように構成された突出部は、ベルト固定キャビティ１８９内に配置されてもよい。図６に見られるように、いくつかの例示的な実施形態によれば、４つの突起はハウジング１５５内に配置されることができ、ここで２つの突起１６１はシェル１５６上に配置され、そして２つの突起１６１はカバープレート１８７上に配置される。組み立て中、ベルト１１０の固定端１１１は、切り欠き１２０が突起１６１と整列するように、ベルト固定キャビティ１８９に配置されてもよい。次に、カバープレート１８７は、カバープレート１８７上の突起１６１も追加の切り欠き１２０と整列するように、シェル１５６に永続的に適用されてもよい。したがって、ベルト固定キャビティ１８９における切り欠き１２０と突起１６１との間の係合により、ベルト１１０の固定端１１１は、ハウジング１５５に永続的に固定されるか、または取り付けられ得る。
【００３２】
さらに、ハウジング１５５は、ベルト１１０がハウジング１５５に挿入されたときにベルト１１０を受け入れるための受容チャネル１６５を含む。受容チャネル１６５は、受容チャネル１６５を通るベルト１１０のスライド移動を容易にするために、ベルト１１０の幅および高さと同じかまたはそれより大きい幅および高さを有し得る。さらに、いくつかの例示的な実施形態によれば、受容チャネル１６５は湾曲してもよく、例えば、ベルト１１０が静止しているとき、ベルト１１０の曲率半径と同じであり得る曲率半径を有し得る。いくつかの例示的な実施形態によれば、受容チャネル１６５は、受容チャネル１６５の一端にベルト入口開口部１６４を有し得、それを介して物品へのセキュリティデバイス１００の設置中にベルト１１０が挿入され得る。受容チャネル１６５はまた、いくつかの例示的な実施形態によれば、ベルト入口開口部１６４の反対側の受容チャネル１６５の別の端部にベルト調整開口部１６６を含むことができる。より小さな物品へのセキュリティデバイス１００の適用には、ベルトの調節端１１２が受容チャネル１６５の外に延在する点までベルト１１０を締め付けることを要する状況では、ベルト調整開口部１６６は、ベルト１１０の調整端１１２が受容チャネル１６５の外に延在することを可能にし得る。これに関して、ベルト１１０の調整端１１２が受容チャネル１６５のベルト調整開口部１６６を越えて延在するとき、ベルト１１０の調整端１１２は、その後、受容スリーブ１２５（図２）内に受け入れられてもよい。これに関して、ベルト１１０の調整端１１２は、受容チャネル１６５を通過して受容スリーブ１２５に入るように構成され得る。受容スリーブ１２５は、ベルト１１０に取り付けられ、ベルト１１０の固定端１１１に隣接して配置されてもよい。
【００３３】
ハウジング１５５はまた、ハブ１８０が配置され得るハブキャビティ１８６を含み得る。ハブキャビティ１８６の形状およびサイズは、ハブ１８０がハブキャビティ１８６内で回転することを可能にし得る。ハブ１８０は、受容チャネル１６５の長さに沿って回転するように構成され得る。ハウジング１５５は、ハブ１８０のレバー係合部１９１が側部ハブ開口部１８８から外に延在し、ハウジング１５５の側壁を越えて、レバー１７５のキャビティ１８６と係合することを可能にする、側部ハブ開口部１８８をハブキャビティ１８６に有することができる。側部ハブ開口部１８８は、ハブ１８０の内部部分１９８（図９）が側部ハブ開口部１８８よりも大きいために、ハブ１８０がハウジング１５５内に維持されるようなサイズにすることができる。ハブキャビティ１８６および受容チャネル１６５はまた、ハブキャビティ１８６と受容チャネル１６５との間にウィンドウ１６７（または開口部）を含み得、レバー１７５とハブ１８０の位置に応じて、ハブ１８０がウィンドウ１６７を介してベルト１１０を動作可能に結合または係合することを可能にする。
【００３４】
これに関して、図９および１０に示されるようなハブ１８０の形状はまた、ハブキャビティ１８６内での回転を容易にするように設計され得る。ハブ１８０は、いくつかの例示的な実施形態によれば、単一の成形構成要素であってもよいが、様々な動作機能を実行する様々な機構から構成されてもよい。ハブ１８０の長さは、軸１５８に沿って延在することができる。これに関して、ハブ１８０は、内部部分１９８、回転リング１９４、およびレバー係合部分１９１から構成され得る。レバー係合部分１９１は、ハブ１８０の端部に配置することができ、上述のように、ハブ１８０がハウジング１５５内に配置されるとき、ハウジング１５５の側壁を越えて延在することができる。レバー係合部分１９１は、レバー１７５のキャビティ１７６と係合し、そして相補的であり得る。これに関して、レバー係合部分１９１は、キャビティ１７６内に嵌合する突出部であってもよい。レバー係合部分１９１は、レバー１７５およびハブ１８０が単一の相対的な向きでのみ組み立てられることができるように、相補的な方法でキー止めすることができる。これに関して、いくつかの例示的な実施形態によれば、レバー係合部分１９１は、正方形であり得、ここで正方形の１つの角がキー縁部１９２によってキー止めされている。ハブ１８０のレバー係合部分１９１を介して、レバー１７５は、ハブ１８０を介してハウジング１５５に旋回可能に結合され、ロックされたレバー位置とロック解除されたレバー位置との間でハウジング１５５に対して旋回することができる。したがって、レバー１７５は、レバー１７５が旋回するとハブ１８０が回転するようにハブ１８０に結合されてもよく、ここで共通軸１５８の周りをレバー１７５が旋回し、そしてハブ１８０が回転する。
【００３５】
ハブ１８０の回転リング１９４は、レバー係合部分１９１に内部的に隣接して配置されてもよい。回転リング１９４は、ハウジング１５５に対するハブ１８０の回転を容易にするために円形であってもよい。これに関して、回転リング１９４は、セキュリティデバイス１００が組み立てられたとき、ハウジング１５５の側部ハブ開口部１８８のリム内に配置されてもよい。これに関して、回転リング１９４の半径は、回転ハブ１９４と側部ハブ開口部１８８のリムとの間の回転スライド係合を容易にするために、側部ハブ開口部１８８の半径よりわずかに小さくてもよい。
【００３６】
内部部分１９８は、回転リング１９４に内部的に隣接して配置されてもよい。いくつかの例示的な実施形態によれば、ハブ１８０の内部部分１９８は、ハブ１８０の長さの中央に配置されてもよい。内部部分１９８は、いくつかの例示的な実施形態によれば、ハウジング１５５ならびにハウジング１５５およびハブキャビティ１８６の内壁の完全に内部に配置されてもよい。内部部分１９８は、組み立てられたときにハブ１９８をハウジング１５５内に維持するように機能することができる回転リング１９４および側部ハブ開口部１８８よりも広くすることができる。
【００３７】
ハブ１８０の内部部分１９８は、ベルト係合面１９９およびベルト非係合面１９５を含み得る。いくつかの例示的な実施形態によれば、ベルト係合面１９９およびベルト非係合面１９５は、円筒形であってもよいハブ１８０の内部部分１９８の周囲を画定することができる。ベルト係合面１９９は、ハブ１８０の回転の中心でもある軸１５８に頂点を有するベルト係合面角度１９６によって規定される内部部分１９８の円周の一部に沿って配置されてもよい。同様に、ベルト非係合面１９５は、軸１５８に頂点を有するベルト非係合面角度１９７によって規定される内部部分１９８の円周の一部に沿って配置されてもよい。いくつかの例示的な実施形態によれば、ベルト係合面角度１９５は、ベルト非係合面角度１９７よりも小さくてもよい。いくつかの例示的な実施形態によれば、ベルト係合面１９９は、例えば歯１９３の形態の１つまたは複数のベルト係合部材を含むことができる。歯１９３間のピッチまたは半径方向距離は、ベルト１１０の調整端１１２上の溝１１５間のピッチまたは直線距離と実質的に同じまたは同じであり得る。図１０で最もよく示されるように、いくつかの例示的な実施形態によれば、ベルト係合面１９９は、４つの歯１９３ａ、１９３ｂ、１９３ｃ、および１９３ｄを含み得る。さらにベルト非係合面１９５は、ベルト係合部材がないことがあり得る。いくつかの例示的な実施形態によれば、ベルト非係合面１９５は、少なくともベルト係合面１９９の係合部材の範囲に対して凹んだ滑らかな表面であってもよい。言い換えれば、ベルト係合面１９９の係合部材は、ハブ１８０の中心（すなわち、軸１５８）から離れて突出してもよく、そして係合部材は、ベルト非係合面１９５のいかなる機構よりもハブ１８０の中心からさらに離れて延在してもよい。
【００３８】
例示的なセキュリティデバイス１００の構造の様々な例示的な実施形態を説明してきたが、セキュリティデバイス１００のいくつかの動作が、ここで図１１から１４に関して説明される。図１１から１４に関して説明される動作は、ロック解除された構成からロックされた構成に移行し、そしてロック解除された構成に戻るセキュリティデバイス１００を示す。図１１から１４は、内部機構を異なる構成で見ることができるように、セキュリティデバイス１００の側面断面図を示す。
【００３９】
したがって図１１は、セキュリティデバイス１００が物品に固定される準備ができているロック解除された構成の例示的なセキュリティデバイス１００を示す。見て分かるように、レバー１７５は、以前にロック解除されたレバー位置へと軸１５８の周りを旋回されている。ハブ１８０はレバー１７５と共に回転するので、レバー１７５が旋回すると、ハブ１８０はロックされていないハブ位置に移動する。ハブ１８０がロック解除されたハブ位置にあるとき、ハブ１８０はベルト１１０と係合していない。より具体的には、ハブ１８０がロック解除されたハブ位置にあるとき、ベルト非係合面１９５は受容チャネルウィンドウ１６７内にあり、したがって非係合面１９５がベルト１１０の調整端１１２と係合するようウィンドウ１６７を通って延在しないため、ハブ１８０はベルト１１０と係合しない。したがってベルト１１０の調整端１１２は、受容チャネル１６５からスライド可能に挿入または取り外されるのに自由である。
【００４０】
セキュリティデバイス１００を物品に適用するために、ベルト１１０は物品の周りに巻かれることができ、そしてベルト１１０の調整端１１２は、受容チャネル１６５に挿入されて、手で締められることができる。この時点で、ユーザは、レバー１７５を矢印２１０に従って下方かつ反時計回りに、レバーのロックされた位置に向かって旋回させ始めることができる。レバー１７５が旋回すると、ハブ１８０も反時計回り方向に回転し、ベルト係合面１９９はウィンドウ１６７に向かって回転する。いくつかの例示的な実施形態によれば、ベルト係合面１９９の歯は、ベルト１１０の溝１１３と係合し始めてもよい。ハブ１８０のベルト係合面１９９は、ベルト受容チャネル１６５へと延在し、レバー１７５がロックされたレバー位置に旋回され、ベルト１１０の調整端１１２が受容チャネル１６５に挿入されることに応じて、ベルト１１０と動作可能に結合することができる。レバー１７５が下向きに反時計回りに回転し続けると、ラックアンドピニオン型動作が発生し、ここでハブ１８０と歯１９３の回転が溝１１３と係合すると、ベルト１１０が矢印２１１に従って受容チャネル１６５をさらに移動し、それによりベルト１１０を物品にさらに締め付けることになる。このように、レバー１７５がロック解除されたレバー位置からロックされたレバー位置に旋回すると、ハブ１８０のベルト係合面１９９がベルト１１０に動作可能に結合されない状態からベルト１１０に動作可能に結合される状態に移行し、さらに締め付け力をベルト１１０に加えるように、ハブ１８０は回転する。
【００４１】
ここで図１２を参照すると、レバー１７５は、ロッキングアセンブリおよびセキュリティデバイス１００がロックされた構成にあり、ハブ１８０がベルト１１０と係合しているレバーのロックされた位置に旋回されている。これに関して、レバー１７５がレバーのロックされた位置に移動すると、図１２に示すように、スラグ１７８は、ばね１７９によってハウジング１５５のロッキングキャビティ１６９内に付勢されて、レバー１７５をハウジング１５５にロックし、ハブ１８０をハブのロックされた位置に維持することができる。ハブ１８０が所定の位置にロックされている状態では、ベルト１１０とハブ１８０のベルト係合面１９９との間の係合により、ベルト１１０は受容チャネル１６５から取り外すことができない。さらにレバー１７５がレバーのロックされた位置にある状態では、ハウジング１５５の一部はレバーキャビティ１７７に受け入れられることができる。
【００４２】
次に図１３を参照すると、セキュリティデバイス１００およびキー２００を含むシステムが提供される。キー２００をセキュリティデバイス１００に適用して、セキュリティデバイス１００をロック解除し、物品から取り外すことができる。キー２００は、磁石２０１を含み得る。スラグ１７９は、磁場に引き寄せられる鉄系材料で形成できるため、スラグ１７８に隣接する位置にキー２００および磁石２０１が存在することにより、スラグ１７９が、ばね１７９の付勢に抗してロッキングキャビティ１６９から移動することができる。スラグ１７９がロッキングキャビティ１６９から取り外されると、ロッキングアセンブリはロック解除された構成になり、レバー１７５はロック解除されたレバー位置に旋回されることが自由になる。
【００４３】
図１４において、レバー１７５は、矢印２１２に従って上方への時計回り方向への移動を介して、ロック解除されたレバー位置に旋回して戻される。レバー１７５の時計回り方向の旋回はまた、ハブ１８０を時計回り方向に回転させる。ハブ１８０のベルト係合面１９９は依然としてベルト１１０と係合しているので、ハブ１８０の回転により、ベルトが受容チャネル１６５から出て、受容チャネル１６５のベルト入口開口部１６４に向かって移動する。ハブ１８０のベルト係合面１９９がもはやベルト１１０と係合しなくなり、ベルト非係合面１９５がウィンドウ１６７に提示されるまで、ベルト１１０はこのように動き続ける。ベルト非係合面１９５がウィンドウ１６７に提示されると、ハブ１８０はもはやベルト１１０と係合していない。このように、ハブ１８０はロック解除されたハブ位置にあり、ベルト１１０は受容チャネル１６５から完全にスライドして外れ、物品から取り外されることが自由になる。したがって、レバー１７５がロック解除されたレバー位置にあることに応じてハブ１８０がベルト１１０に動作可能に結合しないように、ハブ１８０のベルト非係合面１９５は受容チャネル１６５に提示されてもよい。
【００４４】
本明細書に記載の多くの修正および他の実施形態は、前述の説明および関連する図面に提示された教示の利点を有するものがこれらの例示的な実施形態が関係する当業者に思い浮かぶであろう。したがって、実施形態は、本明細書に開示される特定の実施形態に限定されるべきではなく、修正および他の実施形態が範囲内に含まれることが意図されていることを理解されたい。さらに、前述の説明および関連する図面は、要素および／または機能の特定の組み合わせに関連して例示的な実施形態を説明しているが、要素および／または機能の異なる組み合わせは、範囲から逸脱することなく、代替の実施形態によって提供されてもよいことが理解されるべきである。これに関して、例えば、上で明示的に説明されたものとは異なる要素および／または機能の組み合わせも考えられる。本明細書で利点、利益、または課題の解決策が説明される場合、そのような利点、利益、および／または解決策は、必ずしもすべての例示的な実施形態ではなく、いくつかの例示的な実施形態に適用できることを理解されたい。したがって、本明細書で説明する利点、利点、または解決策は、すべての実施形態にとって重要、必要、または不可欠であると考えるべきではない。本明細書では特定の用語が使用されているが、それらは一般的かつ説明的な意味でのみ使用されており、限定を目的としたものではない。
【図１】
2021506005.tif 000003
【図２】
2021506005.tif 000004
【図３】
2021506005.tif 000005
【図４】
2021506005.tif 000006
【図５】
2021506005.tif 000007
【図６】
2021506005.tif 000008
【図７】
2021506005.tif 000009
【図８】
2021506005.tif 000010
【図９】
2021506005.tif 000011
【図１０】
2021506005.tif 000012
【図１１】
2021506005.tif 000013
【図１２】
2021506005.tif 000014
【図１３】
2021506005.tif 000015
【図１４】
2021506005.tif 000016
【国際調査報告】
2021506005.tif 000017
2021506005.tif 000018
2021506005.tif 000019